(57)【要約】      （修正有）【課題】シール面の保護機能を自身に備えることで、パッキン保護のフード部を無くす、パッキン及び防水コネクタを提供する。【解決手段】雌型コネクタ２のフード部３の内周嵌合面３ａに嵌合する雄型コネクタ１の外周嵌合面１ａにパッキン１０を設け、雄型コネクタと雌方コネクタを嵌合させることで、雌型コネクタのフード部３の内周嵌合面３ａをパッキン１０のシール面１２に摺接させて、雄型コネクタと雌型コネクタの嵌合面１ａ、３ａ間をシールする防水コネクタにおいて、シール面１２を保護する保護カバー１３を一体に有するパッキン１０を使用し、パッキン本体部１１の装着面１１ａを雄型コネクタの外周嵌合面に固定し、保護カバー１３の自由端側を雌型コネクタと嵌合する前方側に向けて、パッキンを雄型コネクタに取り付けた。【選択図】      図３
2007026923.tif 000002
【特許請求の範囲】
【請求項１】
互いに嵌合される２つの部材のうちの一方の部材にパッキン本体部が装着され、他方の部材を一方の部材に嵌合させたとき、前記パッキン本体部に形成したシール面に他方の部材が圧接することにより、前記２つの部材の嵌合部をシールする弾性材料製のパッキンにおいて、
前記パッキン本体部に、前記シール面を保護し且つ必要時に前記シール面を露出する位置に退避可能な保護カバーを一体に設けたことを特徴とするパッキン。
【請求項２】
請求項１に記載のパッキンであって、
前記保護カバーが、前記シール面を保護する位置にある状態で前記２つの部材を嵌合させたとき、その嵌合動作によって前記シール面を露出する位置に強制退避可能とされていることを特徴とするパッキン。
【請求項３】
請求項２に記載のパッキンであって、
前記パッキン本体部が筒状に形成され、その筒状に形成されたパッキン本体部の外周面に前記シール面が形成され、そのシール面を覆うように前記保護カバーが筒状に形成され、その筒状に形成された保護カバーの軸線方向の一端全周が前記パッキン本体部の一端全周に連結壁で結合され、該連結壁から前記保護カバーまでの範囲の少なくとも一部が屈曲自在とされていることを特徴とするパッキン。
【請求項４】
雌型コネクタのフード部の内周嵌合面に嵌合する雄型コネクタの外周嵌合面にパッキンを設け、雄型コネクタと雌方コネクタを嵌合させることで、雌型コネクタのフード部の内周嵌合面を前記パッキンのシール面に摺接させて、雄型コネクタと雌型コネクタの嵌合面間をシールする防水コネクタにおいて、
前記パッキンとして請求項３に記載のパッキンを使用し、前記パッキン本体部の装着面を前記雄型コネクタの外周嵌合面に固定し、前記保護カバーの、前記連結壁でパッキン本体部に結合された側と反対側を、前記雌型コネクタと嵌合する前方側に向けたことを特徴とする防水コネクタ。
【発明の詳細な説明】
【技術分野】
【０００１】
本発明は、自身にシール面を保護する機能を備えたパッキン及びそのパッキンを使用した防水コネクタに関するものである。
【背景技術】
【０００２】
従来の防水コネクタとして、図４に示すように、雄型コネクタ３１の外周部に弾性材料製のパッキン４０を設け、そのパッキン４０の外周側に、パッキン４０のシール面４２の保護機能を有するフード部３２を雄型コネクタ３１のハウジングと一体に設けたものが知られている（例えば、特許文献１参照）。
【０００３】
この雄型コネクタ３１を雌型コネクタ（図示略）と嵌合させた場合、雌型コネクタのフード部（図示略）の内周が、雄型コネクタのパッキン４０のシール面４２に摺接することで、防水機能が確保される。
【特許文献１】特開平１０−２２３３０１号公報（図４）
【発明の開示】
【発明が解決しようとする課題】
【０００４】
図４に示すようにパッキン４０の保護機能を有するフード部３２を設けた場合、パッキン４０のシール面４２にゴミが付着したり、シール面４２に傷が付いたりするのを防止することができるが、フード部３２を設けたことにより、サイズが大きくなってしまうという問題があった。
【０００５】
本発明は、上記事情を考慮し、シール面の保護機能を自身に備えることで、コネクタハウジング側にフード部などを設けなくて済むようにして、サイズの小型化を可能にするパッキン、及び、そのパッキンを使用した防水コネクタを提供することを目的とする。
【課題を解決するための手段】
【０００６】
請求項１の発明のパッキンは、互いに嵌合される２つの部材のうちの一方の部材にパッキン本体部が装着され、他方の部材を一方の部材に嵌合させたとき、前記パッキン本体部に形成したシール面に他方の部材が圧接することにより、前記２つの部材の嵌合部をシールする弾性材料製のパッキンにおいて、前記パッキン本体部に、前記シール面を保護し且つ必要時に前記シール面を露出する位置に退避可能な保護カバーを一体に設けたことを特徴とする。
【０００７】
請求項２の発明は、請求項１に記載のパッキンであって、前記保護カバーが、前記シール面を保護する位置にある状態で前記２つの部材を嵌合させたとき、その嵌合動作によって前記シール面を露出する位置に強制退避可能とされていることを特徴とする。
【０００８】
請求項３の発明は、請求項２に記載のパッキンであって、前記パッキン本体部が筒状に形成され、その筒状に形成されたパッキン本体部の外周面に前記シール面が形成され、そのシール面を覆うように前記保護カバーが筒状に形成され、その筒状に形成された保護カバーの軸線方向の一端全周が前記パッキン本体部の一端全周に連結壁で結合され、該連結壁から前記保護カバーまでの範囲の少なくとも一部が屈曲自在とされていることを特徴とする。
【０００９】
請求項４の発明の防水コネクタは、雌型コネクタのフード部の内周嵌合面に嵌合する雄型コネクタの外周嵌合面にパッキンを設け、雄型コネクタと雌方コネクタを嵌合させることで、雌型コネクタのフード部の内周嵌合面を前記パッキンのシール面に摺接させて、雄型コネクタと雌型コネクタの嵌合面間をシールする防水コネクタにおいて、前記パッキンとして請求項３に記載のパッキンを使用し、前記パッキン本体部の装着面を前記雄型コネクタの外周嵌合面に固定し、前記保護カバーの、前記連結壁でパッキン本体部に結合された側と反対側を、前記雌型コネクタと嵌合する前方側に向けたことを特徴とする。
【発明の効果】
【００１０】
請求項１の発明によれば、パッキン自身にシール面を保護するための保護カバーを一体に設けたので、コネクタに適用した場合、コネクタハウジングにパッキン保護のための特別なフード部を設けないでも、シール面へのゴミの付着防止及び傷付き防止を図ることができる。従って、フード部の省略により、コネクタの小型化が図れる。
【００１１】
請求項２の発明によれば、一方の部材に他方の部材を嵌合させるだけで、保護カバーを強制的に退避させてシール面を露出させ、他方の部材を露出したシール面に圧接させることができる。
【００１２】
請求項３の発明によれば、筒状のパッキン本体部の一端全周と筒状の保護カバーの一端全周とを連結壁で結合し、連結壁から保護カバーまでの範囲の少なくとも一部を屈曲自在としたので、保護カバーを簡単に退避位置に移動させることができるし、保護カバーで確実にシール面を保護することができる。
【００１３】
請求項４の発明によれば、パッキン本体部の装着面を雄型コネクタの外周嵌合面に固定し、保護カバーの連結壁でパッキン本体部に結合された側と反対側を、雌型コネクタと嵌合する前方側に向けたので、雌型コネクタを雄型コネクタに嵌合させるだけで、保護カバーを雌型コネクタのフード部により持ち上げて、該フード部の内周嵌合面をシール面に圧接させることができ、それにより防水機能を発揮することができる。
【発明を実施するための最良の形態】
【００１４】
以下、本発明の実施形態を図面を参照して説明する。
【００１５】
図１は実施形態のパッキンの部分断面図、図２はそのパッキンを使用した防水コネクタの嵌合前の状態を示す要部の断面図、図３は嵌合状態を示す要部の断面図である。
【００１６】
図２、図３に示すように、実施形態のパッキン１０が適用される防水コネクタは、雄型コネクタ（一方の部材）１と雌型コネクタ（他方の部材）２を嵌合させることで、雌型コネクタ２のフード部３の内周嵌合面３ａを、雄型コネクタ１の外周嵌合面１ａに装着したパッキン１０のシール面１２に摺接させて、雄型コネクタ１と雌型コネクタ２の嵌合面１ａ、３ａ間をシールするものである。
【００１７】
図１に示すように、パッキン１０は、パッキン本体部１１と、保護カバー１３と、それらを連結する連結壁１４と、を有するゴム等の弾性材料製の一体成形品であり、図２に示すように、パッキン本体部１１の内周の装着面１１ａを、雄型コネクタ１の外周嵌合面１ａに固定することで、雄型コネクタ１に取り付けられている。
【００１８】
図１に示すように、筒状に形成されたパッキン本体部１１の外周面には、複数の環状山を連ねたシール面１２が形成されており、保護カバー１３は、このシール面１２を覆うように筒状に形成されている。そして、筒状に形成された保護カバー１３の軸線方向の一端全周が、パッキン本体部１１の一端全周に連結壁１４で結合されることで、全体が一体化されており、更に、連結壁１４から保護カバー１３までの範囲の少なくとも一部が屈曲自在（図１中の矢印Ａ方向に変形自在）であることにより、保護カバー１３が、必要時に、シール面１２を露出する位置に退避可能となっている。
【００１９】
この場合、パッキン１０は、図２、図３に示すように、保護カバー１３の、連結壁１４でパッキン本体部１１に結合された側と反対側を、雌型コネクタ２と嵌合する前方側に向けた姿勢で、雄型コネクタ１に取り付けられている。そして、保護カバー１３がシール面１２を保護する位置にある状態で、雄型コネクタ１と雌型コネクタ２を嵌合させたときに、その嵌合動作によって、雌型コネクタ２のフード部３が保護カバー１３を押し上げて、シール面１２を露出させるようになっている。
【００２０】
次に作用を説明する。
【００２１】
図２に示すように、雄型コネクタ１と雌型コネクタ２を嵌合する前の状態においては、パッキン１０自身に設けた保護カバー１３がシール面１２を保護するので、シール面１２へのゴミの付着防止及び傷付き防止を図ることができる。この場合、パッキン１０自身にシール面１２の保護機能が備わっていることにより、雄型コネクタ１にパッキン保護のための特別なフード部を設けなくて済み、そのため、雄型コネクタ１の小型化が図れる。
【００２２】
また、この防水コネクタの雄側（雄型コネクタ１）と雌側（雌型コネクタ２）を嵌合させた場合は、図３に示すように、雌型コネクタ２のフード部３によってパッキン１０の保護カバー１３を持ち上げることができ、その状態で露出したシール面１２にフード部３の内周嵌合面３ａを摺接させることができるので、確実な防水機能を発揮することができる。
【００２３】
この場合、雄型コネクタ１と雌型コネクタ２を嵌合させる動作によって、保護カバー１３を退避位置に自動的に移動させてシール面１２を露出させることができるので、保護カバー１３を手で捲るなどの余計な操作が全く不要であり、作業性の向上が図れる。もちろん、雄型コネクタ１と雌型コネクタ２の嵌合に先立って、保護カバー１３を手で捲るなどしても構わない。
【図面の簡単な説明】
【００２４】
【図１】本発明の実施形態のパッキンの部分断面図である。
【図２】そのパッキンを使用した防水コネクタの嵌合前の状態を示す要部の断面図である。
【図３】同パッキンを使用した防水コネクタの嵌合状態を示す要部の断面図である。
【図４】従来のパッキンを使用した防水コネクタの一例を示す断面図である。
【符号の説明】
【００２５】
１  雄コネクタ（一方の部材）
２  雌コネクタ（他方の部材）
３  フード部
１ａ，３ａ  嵌合面
１０  パッキン
１１  パッキン本体部
１１ａ  装着面
１２  シール面
１３  保護カバー
１４  連結壁
【図１】
2007026923.tif 000003
【図２】
2007026923.tif 000004
【図３】
2007026923.tif 000005
【図４】
2007026923.tif 000006